(57)【要約】      （修正有）【課題】シンプルな構造で、傾斜した天井面に設置可能とし、吊掛部材の方向変換・長さ調整が迅速に行え、不使用時には一部を残して取り外すことのできる室内用吊下具を提供する。【解決手段】天井側固定部材Ｆに固着される取付部材１と、下端部２Ｂに物掛け部３を有する長さ調整可能な吊掛部材２と、を備え、吊掛部材２の上端頭部２Ａを取付部材１に着脱自在に取付けて、吊掛部材２を揺動自在に吊設する室内用吊下具であって、吊掛部材２の上端頭部２Ａには、水平４方向に突出する十字状突片部４が設けられ、突片部４は、突出方向に向けて次第に細くなるように下面が円弧状に弯曲し、かつ、下面の断面形状が凸曲面状に形成され、取付部材１は、内部に頭部収納室１０を備え、その底壁部１１には、上端頭部２Ａが挿通可能な幅広孔部７と、上端頭部２Ａが通過できない幅寸法の長孔部８とを、連通状に有する底面視キノコ状の開口窓部６が形成される。【選択図】図１
2015136408.tif 000002
【特許請求の範囲】
【請求項１】
天井側固定部材（Ｆ）に固着される取付部材（１）と、下端部（２Ｂ）に物掛け部（３）を有する長さ調整可能な吊掛部材（２）と、を備え、該吊掛部材（２）の上端頭部（２Ａ）を上記取付部材（１）に着脱自在に取付けて、上記吊掛部材（２）を揺動自在に吊設する室内用吊下具であって、
上記吊掛部材（２）の上端頭部（２Ａ）には、水平４方向に突出する十字状突片部（４）が設けられ、該突片部（４）は、突出方向に向けて次第に細くなるように下面（４ａ）が円弧状に弯曲し、かつ、該下面（４ａ）の断面形状が凸曲面状に形成され、
上記取付部材（１）は、内部に頭部収納室（１０）を備え、その底壁部（１１）には、上記上端頭部（２Ａ）が挿通可能な幅広孔部（７）と、上記上端頭部（２Ａ）が通過できない幅寸法（ｗ）の長孔部（８）とを、連通状に有する底面視キノコ状の開口窓部（６）が形成され、かつ、上記収納室（１０）に、上記十字状突片部（４）の凸曲面状下面（４ａ）を受ける断面凹曲面状の受け面（１２）（１２）を有する一対の凹溝部（９）（９）が内設され、
上記吊掛部材（２）は、９０度ピッチで方向変換自在として吊持されると共に、上記長孔部（８）の長手方向に平行な垂直平面（Ｘ）上で所定の角度（θ）で揺動可能とし、かつ、該垂直平面（Ｘ）に直交する他の垂直平面（Ｙ）上にて上記所定角度（θ）より小さな角度（φ）で揺動可能として構成されていることを特徴とする室内用吊下具。
【請求項２】
上記吊掛部材（２）は、上下方向中間部に伸縮自在の縦杆部（５）を有し、該縦杆部（５）は、断面非円形状の外管（１５）と、該外管（１５）に収納引出自在に挿嵌される内管（１４）とを、備え、かつ、該縦杆部（５）の伸縮を複数段で規制するための係止機構（１９）を備えている請求項１記載の室内用吊下具。
【請求項３】
上記物掛け部（３）の内周面に滑り止め部材（１３）が付設されている請求項１又は２記載の室内用吊下具。
【発明の詳細な説明】
【技術分野】
【０００１】
本発明は、室内用吊下具に関する。
【背景技術】
【０００２】
本来、洗濯物は屋外に干すものであるが、雨天時に降雨にさらされるのを避けるため、あるいは、近年のＰＭ２．５の飛来による大気汚染の影響を受けないように、洗濯物を室内で乾燥させることもある。また、室内に観葉植物や造花等を飾って室内環境を良くしようという人が増え、花瓶や植木鉢を床に置くのではなく、空間を飾るグリーンインテリアとして楽しむことが多くなってきている。
そこで、従来より、物干し竿やグリーンインテリアの花瓶、植木鉢等を、室内で天井から吊り下げるための室内用吊下具が用いられている（特許文献１参照）。
【先行技術文献】
【特許文献】
【０００３】
【特許文献１】実開平０６−２３８号公報
【発明の概要】
【発明が解決しようとする課題】
【０００４】
しかし、従来の室内用吊下具は、天井面に取付ける取付部とテレスコピック型の吊掛部が揺動の余裕もなく固定されている為、傾斜した天井面に設置する場合には、吊掛部が鉛直状とならずに斜めになるという欠点があった。吊掛部が斜めになった状態で物干し竿や植木鉢等の荷重がかかると、取付部と吊掛部の固定部に過大な力が作用して壊れてしまう虞れがあった。また、物干し竿や植木鉢等を吊下げない不使用時でも、天井面から吊掛部が垂れ下がったままで、室内の景観を悪くするという問題があった。
【０００５】
また、テレスコピック型の吊掛部が、側方から調整機構のネジを回して係止したり、パイプの下端に設けた輪状ネジでパイプ内径を縮小させて締付け固定をする構造である為、使用者がネジを緩めたり締め付けたりする作業に手間がかかり、簡単に高さ調整を行うことができなかった。また、吊り具本体に使用される部品が非常に多く、複雑な構造であるため、コストが増大すると共に、組立ての手間を要するという欠点があった。
【０００６】
そこで、本発明は、シンプルな構造で、傾斜した天井面に設置可能とし、吊掛部材の方向変換・長さ調整が迅速に行え、不使用時には一部を残して取り外すことのできる室内用吊下具を提供することを目的とする。
【課題を解決するための手段】
【０００７】
本発明に係る室内用吊下具は、天井側固定部材に固着される取付部材と、下端部に物掛け部を有する長さ調整可能な吊掛部材と、を備え、該吊掛部材の上端頭部を上記取付部材に着脱自在に取付けて、上記吊掛部材を揺動自在に吊設する室内用吊下具であって、上記吊掛部材の上端頭部には、水平４方向に突出する十字状突片部が設けられ、該突片部は、突出方向に向けて次第に細くなるように下面が円弧状に弯曲し、かつ、該下面の断面形状が凸曲面状に形成され、上記取付部材は、内部に頭部収納室を備え、その底壁部には、上記上端頭部が挿通可能な幅広孔部と、上記上端頭部が通過できない幅寸法の長孔部とを、連通状に有する底面視キノコ状の開口窓部が形成され、かつ、上記収納室に、上記十字状突片部の凸曲面状下面を受ける断面凹曲面状の受け面を有する一対の凹溝部が内設され、
上記吊掛部材は、９０度ピッチで方向変換自在として吊持されると共に、上記長孔部の長手方向に平行な垂直平面上で所定の角度で揺動可能とし、かつ、該垂直平面に直交する他の垂直平面上にて上記所定角度より小さな角度で揺動可能として構成されているものである。
【０００８】
また、上記吊掛部材は、上下方向中間部に伸縮自在の縦杆部を有し、該縦杆部は、断面非円形状の外管と、該外管に収納引出自在に挿嵌される内管とを、備え、かつ、該縦杆部の伸縮を複数段で規制するための係止機構を備えているものである。
また、上記物掛け部の内周面に滑り止め部材が付設されているものである。
【発明の効果】
【０００９】
本発明の室内用吊下具によれば、天井側の面が一方向へ傾斜すると共に他方向へ傾斜している場合であっても、吊掛部材を鉛直状に吊り下げることができ、取付部材に無理な力がかかることがなく、物干し竿や植木鉢等の荷重を支持できる。開口窓部に吊掛部材の上端頭部を差し込んで十字状突片部を凹溝部に引っ掛けるだけで、非常に簡単に取付け・取外しを行うことができる。また、吊掛部材の９０度方向変換を迅速に行うことができる。部品点数が少なく、コストダウンを図ることができる。
【図面の簡単な説明】
【００１０】
【図１】本発明の実施の一形態の使用状態を示した断面正面図である。
【図２】取付部材のカバー部を省略して示した底面図である。
【図３】カバー部を示した底面図である。
【図４】吊掛部材の上端頭部を示した断面底面図である。
【図５】吊掛部材の上端頭部を示した斜視図である。
【図６】要部拡大断面正面図である。
【図７】要部拡大断面側面図である。
【図８】本発明の作用を説明するための簡略正面図である。
【図９】本発明の作用を説明するための簡略側面図である。
【図１０】本発明の室内用吊下具を傾斜面に取付けた状態を示した正面図である。
【図１１】係止機構を示した要部拡大断面側面図である。
【図１２】他の取付部材を示した底面図である。
【図１３】他の取付部材を示した断面正面図である。
【図１４】物掛け部を示した断面側面図である。
【図１５】本発明の他の実施形態の使用状態を示した断面正面図である。
【発明を実施するための形態】
【００１１】
以下、実施の形態を示す図面に基づき本発明を詳説する。
図１に示すように、本発明の室内用吊下具は、天井側固定部材Ｆに固着される取付部材１と、下端部２Ｂに物掛け部３を有する長さ調整可能な吊掛部材２と、を備えている。図例では、水平面状の天井側固定部材Ｆに取付部材１を固着し、吊掛部材２の上端頭部２Ａを取付部材１に着脱自在に取付けて、吊掛部材２を揺動自在に吊設している。
図１〜図３に示すように、取付部材１は、アルミ又は亜鉛のダイカストによって成形される金属ベース部２０と、金属ベース部２０を被覆する合成樹脂製のカバー部２１と、から成る。取付部材１は、底面視で、略長方形状、乃至、楕円形状に形成されている。なお、底面視円形状としても良い。金属ベース部２０は、内部に空洞を有する突隆部２２と、突隆部２２を取り囲むように形成される取付板部２３とを備え、突隆部２２を下にして取付板部２３を固定部材Ｆの下面（天井面）に当接している。なお、取付板部２３の外端縁部の一部に、カバー部２１の外端縁部を嵌め込むための爪部２３ａ，２３ａが形成され、カバー部２１を金属ベース部２０に押し付けると、カチッと音を立てて嵌着されるように構成している。金属ベース部２０とカバー部２１には、キノコ形の貫通孔が形成され、金属ベース部２０には、縁取り用低壁部２４が立設され、金属ベース部２０の貫通孔とカバー部２１の貫通孔が相互に嵌合している。
【００１２】
図４と図５に示すように、吊掛部材２の上端頭部２Ａには、水平４方向に突出する十字状突片部４が設けられている。
突片部４は、突出方向に向けて次第に細くなるように下面４ａが円弧状に弯曲し、かつ、下面４ａの断面形状が凸曲面状に形成されている。言い換えると、突片部４の下面４ａは、図６のように突出方向の正面から見て下方に凸の円弧状凸曲面であり、かつ、図７のように突出方向の側面から見ても下方に凸の円弧状凸曲面となるように形成されている。なお、突片部４の突出方向正面から見た際の下面４ａの曲率半径ｒよりも、突片部４の突出方向側面から見た際の下面４ａの曲率半径Ｒが大きくなるように設定されている。
【００１３】
図１〜図３に示すように、取付部材１は、内部に頭部収納室１０を備え、その底壁部１１には、吊掛部材２の上端頭部２Ａが挿通可能な幅広孔部７と、上端頭部２Ａが通過できない幅寸法ｗの長孔部８とを、連通状に有する底面視キノコ状の開口窓部６が形成されている。収納室１０は、金属ベース部２０の突隆部２２と固定部材Ｆの下面（天井面）によって形成され、金属ベース部２０及びカバー部２１のキノコ形貫通孔によって、開口窓部６が形成されている。
また、収納室１０には、十字状突片部４の凸曲面状下面４ａを受ける断面凹曲面状の受け面１２，１２を有する一対の凹溝部９，９が内設されている。凹溝部９，９は、長孔部８を挟んで対面状となるように配設されている。凹溝部９，９の断面形状は、図６のように正面から見て下方に凹む円弧状凹曲面であり、かつ、図７のように側面から見ても下方に凹む円弧状の凹曲面となるように形成されている。なお、図７に示す側面視に於て、凹溝部９の受け面１２は、長孔部８に向けて下り勾配とし、すり鉢状凹曲面として形成されている。
【００１４】
図１に於て、吊掛部材２は、上下方向中間部に伸縮自在の縦杆部５を有し、縦杆部５は、断面非円形状の外管１５と、外管１５に収納引出自在に挿嵌される内管１４とを、備えている。外管１５と内管１４は、非回転状に挿嵌され、上下方向にスライド自在である。
図１１に示すように、縦杆部５の伸縮（外管１５と内管１４のスライド）を複数段で規制するための係止機構１９を備えている。
係止機構１９は、係止用凸部２７ａを有する揺動部材２７を外管１５に取着し、かつ、内管１４の側壁の複数箇所には、上下方向に所定の間隔を空けて複数の係止用小孔２８を設けている。揺動部材２７は、外管１５の下端部に取り付けられた枢着部２９に軸心Ｌ廻りに揺動自在に枢着され、弾発部材２６によって凸部２７ａが小孔２８に係止するように弾発付勢されている。図中２点鎖線で示すように、弾発部材２６の弾発付勢力に抗して揺動部材２７を揺動させ、凸部２７ａを小孔２８から離脱させて係止機構１９による規制を解除する。係止機構１９の規制が解除された状態では、外管１５と内管１４をスライドさせて縦杆部５を自由に伸縮することが可能となる。揺動部材２７から手を離せば、弾発部材２６の弾発付勢力によって凸部２７ａが内管１４に押し付けられて小孔２８に凸部２７ａが挿入され、係止機構１９の規制が復元するように構成されている。
なお、揺動部材２７は、軸心Ｌ方向に貫通する長孔（図示省略）が形成され、長孔に軸ピンが挿通されて、枢着部２９に枢着されている。あるいは、揺動部材２７の両側面に短円柱形状の軸部を突設し、枢着部２９に長孔を設けて揺動部材２７を枢支する構造であって良い。この構成により、揺動部材２７の凸部２７ａが小孔２８にスムーズに挿入される。
【００１５】
なお、係止機構１９は、設計変更可能であって、図示省略するが、内管に内設された弾発部材によって外側に突出するように弾発付勢される小突起と、外管の側壁の複数箇所に上下方向に所定の間隔を空けて形成された孔部とを、具備する構造とするも好ましい。使用状態では、複数箇所の内の１箇所の孔部に小突起が挿入され、内管を外管に係止するように構成されている。
【００１６】
図１と図１４に示すように、物掛け部３の内周面に滑り止め部材１３が付設されている。
物掛け部３は、アルミ又は亜鉛のダイカストによって成形された円環部３０を有し、円環部３０下端部近傍の内周面の所定範囲Ｓに凹溝部３１が形成され、この凹溝部３１に、断面Ｔ字状のゴム製滑り止め部材１３が嵌込まれている。使用状態で、例えば、物干し竿Ｐを物掛け部３に挿通して支持する際、物干し竿Ｐが当接する所定の範囲Ｓに滑り止め部材１３が設けられ、物干し竿Ｐが挿入方向に滑って落ちるのを防止している。
【００１７】
上述した本発明の室内用吊下具の使用方法（作用）について説明する。
図１に示すように、まず予め、天井側固定部材Ｆに取付部材１を固着しておく。次に、取付部材１の下方から、開口窓部６の幅広孔部７に、吊掛部材２の上端頭部２Ａを、収納室１０の奥まで差し込んで、長孔部８に沿って上端頭部２Ａを平行移動させ、十字状突片部４を凹溝部９，９に係合させる。このように、十字状の突片部４を凹溝部９，９に係合させる構造である為、上端頭部２Ａを９０度回転させて掛け替えることが容易となり、吊掛部材２は９０度ピッチで方向変換自在として吊持される。
【００１８】
図６に示すように、下面４ａが凸曲面状に形成された突片部４が、凹曲面状の受け面１２にて支持されることで、凹溝部９，９上で上端頭部２Ａが自由に揺動して、図８に示すように、吊掛部材２は長孔部８の長手方向に平行な垂直平面Ｘ上で所定の角度θで揺動可能に支持される。
また、図７に示すように、側面視に於ても、凹溝部９，９上で上端頭部２Ａが自由に摺動できるため、吊掛部材２は長孔部８の幅方向（短手方向）にも小さく揺動する。従って、図９に示すように、吊掛部材２は、前記垂直平面Ｘに直交する他の垂直平面Ｙ上にて所定角度θより小さな角度φで揺動可能として支持される。
つまり、図１０に示すような使用状態に於て、天井側固定部材Ｆが一方向だけでなく他方向にも傾斜している場合であっても、吊掛部材２は、自然と鉛直状になり、取付部材１と吊掛部材２に無理な力を掛けることなく物干し竿Ｐ等を吊下げる。
【００１９】
吊掛部材２の長さ調整をする際は、吊掛部材２を取付部材１に吊り下げたまま、あるいは、吊掛部材２を取付部材１から取外して、係止機構１９を操作して規制を解除し、内管１４をスライドさせて所望の位置としたところで、規制を回復する。このようにして、洗濯物の長さや植木鉢のサイズ、又は、使用者の好みに応じた高さに物掛け部３を調整する。物掛け部３は、円環部３０に物干し竿Ｐ、植木鉢等の被吊下物を挿通して支持し、吊掛部材２が不意に揺動したとしても、滑り止め部材１３によって被吊下物を落下させることなく確実に保持する。
【００２０】
なお、本発明は、例えば、図１５に示すように、収納室１０内部の凹溝部９，９の配置を変更することが可能である。
図１５では、天井側固定部材Ｆに固着した取付部材１の下方から、開口窓部６の幅広孔部７に、吊掛部材２の上端頭部２Ａを差し込んで、長孔部８に沿って上端頭部２Ａを平行移動させる。次に、吊掛部材２の上端頭部２Ａを収納室１０の奥まで挿入し、上端頭部２Ａを幅広孔部７側に少し戻して、十字状突片部４を凹溝部９，９に係合させる。逆に、吊掛部材２を取付部材１から取り外す際には、吊掛部材２を持ち上げて十字状突片部４を凹溝部９，９から離脱させ、上端頭部２Ａを幅広孔部７とは反対側に動かしてから吊掛部材２を少し下げて、長孔部８に沿って平行移動させ、幅広孔部７から吊掛部材２の上端頭部２Ａを抜き出す。このように凹溝部９，９の配置を変更することで、吊掛部材２が落下しにくくなり、吊掛部材２が揺動した場合であっても、不意に外れるのを防止できる。
【００２１】
また、本発明は、設計変更が可能であり、図１２及び図１３に示すように、金属ベース部２０単体で取付部材１を構成しても良い。取付部材１（金属ベース部２０）は、内部に頭部収納室１０を備え、その底壁部１１には、吊掛部材２の上端頭部２Ａが挿通可能な幅広孔部７と、上端頭部２Ａが通過できない幅寸法ｗの長孔部８とを、連通状に有する底面視キノコ状の開口窓部６が形成されている。また、収納室１０には、十字状突片部４の凸曲面状下面４ａを受ける断面凹曲面状の受け面１２，１２を有する一対の凹溝部９，９が内設されている。凹溝部９，９の断面形状は、正面から見て下方に凹む円弧状凹曲面であり、側面から見ても下方に凹む円弧状の凹曲面となるように形成されている。なお、凹溝部９の受け面１２は、長孔部８に向けて下り勾配とする。また、取付部材１（金属ベース部２０）は、収納室１０の奥側に天板部２５を有し、この天板部２５に２つの固着用孔部３３，３３が貫設されている。取付部材１は、固定部材Ｆの下面（天井面）に当接した状態で、孔部３３，３３にボルトが挿通され、ボルトにより固定部材Ｆに固着される。
なお、物掛け部３は、フック形状であっても良い。
【００２２】
以上のように、本発明に係る室内用吊下具は、天井側固定部材Ｆに固着される取付部材１と、下端部２Ｂに物掛け部３を有する長さ調整可能な吊掛部材２と、を備え、吊掛部材２の上端頭部２Ａを取付部材１に着脱自在に取付けて、吊掛部材２を揺動自在に吊設する室内用吊下具であって、吊掛部材２の上端頭部２Ａには、水平４方向に突出する十字状突片部４が設けられ、突片部４は、突出方向に向けて次第に細くなるように下面４ａが円弧状に弯曲し、かつ、下面４ａの断面形状が凸曲面状に形成され、取付部材１は、内部に頭部収納室１０を備え、その底壁部１１には、上端頭部２Ａが挿通可能な幅広孔部７と、上端頭部２Ａが通過できない幅寸法ｗの長孔部８とを、連通状に有する底面視キノコ状の開口窓部６が形成され、かつ、収納室１０に、十字状突片部４の凸曲面状下面４ａを受ける断面凹曲面状の受け面１２，１２を有する一対の凹溝部９，９が内設され、吊掛部材２は、９０度ピッチで方向変換自在として吊持されると共に、長孔部８の長手方向に平行な垂直平面Ｘ上で所定の角度θで揺動可能とし、かつ、垂直平面Ｘに直交する他の垂直平面Ｙ上にて所定角度θより小さな角度φで揺動可能として構成されているので、天井側固定部材Ｆが一方向へ傾斜すると共に他方向へ傾斜している場合であっても、吊掛部材２を鉛直状に吊り下げることができ、取付部材１に無理な力がかかることがなく、物干し竿Ｐや植木鉢等の荷重を支持できる。開口窓部６に吊掛部材２の上端頭部２Ａを差し込んで十字状突片部４を凹溝部９，９に引っ掛けるだけで、非常に簡単に取付け・取外しを行うことができる。また、吊掛部材２の９０度方向変換を迅速に行うことができる。部品点数が少なく、コストダウンを図ることができる。
【００２３】
また、吊掛部材２は、上下方向中間部に伸縮自在の縦杆部５を有し、縦杆部５は、断面非円形状の外管１５と、外管１５に収納引出自在に挿嵌される内管１４とを、備え、かつ、縦杆部５の伸縮を複数段で規制するための係止機構１９を備えているので、シンプルな構造でコストを低減でき、吊掛部材２の物掛け部３に吊り下げる物干し竿Ｐや植木鉢等の高さ調整を、容易に行うことができる。
【００２４】
また、物掛け部３の内周面に滑り止め部材１３が付設されているので、物干し竿Ｐや植木鉢等を確実に保持できる。例えば、物干し竿Ｐを物掛け部３の円環部３０に挿通して支持する際、物干し竿Ｐが当接する円環部３０下端部近傍の内周面の所定範囲Ｓに滑り止め部材１３が設けられることで、無駄がなく、コストダウンが図れると共に、確実に滑り止めできる。
【符号の説明】
【００２５】
１  取付部材
２  吊掛部材
２Ａ  上端頭部
２Ｂ  下端部
３  物掛け部
４  突片部
４ａ  下面
５  縦杆部
６  開口窓部
７  幅広孔部
８  長孔部
９  凹溝部
１０  収納室
１１  底壁部
１２  受け面
１３  滑り止め部材
１４  内管
１５  外管
１９  係止機構
Ｆ  固定部材
ｗ  幅寸法
Ｘ，Ｙ  垂直平面
θ，φ  角度
【図１】
2015136408.tif 000003
【図２】
2015136408.tif 000004
【図３】
2015136408.tif 000005
【図４】
2015136408.tif 000006
【図５】
2015136408.tif 000007
【図６】
2015136408.tif 000008
【図７】
2015136408.tif 000009
【図８】
2015136408.tif 000010
【図９】
2015136408.tif 000011
【図１０】
2015136408.tif 000012
【図１１】
2015136408.tif 000013
【図１２】
2015136408.tif 000014
【図１３】
2015136408.tif 000015
【図１４】
2015136408.tif 000016
【図１５】
2015136408.tif 000017